(57)【特許請求の範囲】
【請求項１】
天井に複数の照明器具が設けられ、上記照明器具によって個別的に点灯・消灯される複数の面積が異なる照明エリアに分割されたフロアーに対応して設置され、各々の上記照明エリアの点灯・消灯を操作するための照明用スイッチ装置であって、
複数のスイッチが配列されたスイッチ盤と、このスイッチ盤の表面に取り付けられるとともに、上記スイッチに対応する箇所に開口部が形成されたカバープレートと、このカバープレートの上記開口部に、互いの取付位置が変更可能となるように着脱自在に取り付けられた複数のスイッチカバーとを備え、
上記スイッチ盤は、各々の上記照明エリアが上記フロアーのＸ−Ｙ方向に１以上の単位照明エリアに分割されるとともに、上記表面のＸ−Ｙ方向に上記単位照明エリアの数に対応する数の上記スイッチが配列され、各々の上記単位照明エリアの上記照明器具を、その上記フロアーのＸ−Ｙ方向の位置に対応する位置に配置された各々の上記スイッチによって点灯・消灯させるように配線され、
各々の上記スイッチカバーは、各々の上記照明エリアの面積の広狭に対応する面積に形成されて当該照明エリアの上記フロアーにおける上記Ｘ−Ｙ方向の位置に対応する位置に配置され、当該照明エリアを構成する１以上の上記単位照明エリアの上記スイッチを同時にＯＮ−ＯＦＦ操作可能となるように取り付けられているとともに、
上記カバープレートの表面には、当該カバープレートの開口部と連通する第２の開口部が形成されたサインパネルが設けられ、このサインパネルの表面に、上記フロアーに設けられた建築部材をその上記Ｘ−Ｙ方向の位置に対応する位置に模式的に表示するサインパーツが取り付けられていることを特徴とする照明用スイッチ装置。
【発明の詳細な説明】
【技術分野】
【０００１】
本発明は、広い面積のフロアーが、独立的に点灯・消灯される複数の照明エリアに分割されている建物において、上記照明エリアごとの点灯・消灯を操作するためのスイッチ装置に関するものである。
【背景技術】
【０００２】
事務所ビルや研究所等の広い面積のフロアーを有する建物においては、当該フロアーの一部のみに人が居る場合に、全面積に対して照明器具を点灯しておくことは不経済である。このため、一般にフロアーにおける机のレイアウトや、当該机を利用する者のグループ分け、あるいは上記フロアー内のエリア毎における居留の頻度等に基づいて、上記フロアーを複数の照明エリアに分割し、必要に応じて各照明エリアの照明器具を個別的に点灯・消灯するようにしている。
【０００３】
例えば、図６に示す事務所のフロアーにおいては、フロアー１が間仕切り２や棚３等によって３つのグループＧ1、Ｇ2、Ｇ3に分けられて机や椅子等が配置されている場合に、天井に設けられた複数の照明器具が、グループＧ1、Ｇ2、Ｇ3毎と、さらに窓４の近傍とその内側との、合計６つの照明エリアａ1、ａ2、ｂ1、ｂ2、ｃ1、ｃ2用に区分けされている。
【０００４】
そして、このフロアー１の入口の柱５には、各照明エリアａ1、ａ2、ｂ1、ｂ2、ｃ1、ｃ2の照明器具を点灯・消灯するためのスイッチ装置６が設けられている。
このスイッチ装置６は、図７に示すように、縦方向に３つのスイッチ７が設けられた汎用のスイッチ盤８を、横２列設けることにより、各々の照明エリアａ1、ａ2、ｂ1、ｂ2、ｃ1、ｃ2の点灯・消灯を個別的に行うための合計６つのスイッチ７を有するものである。
【発明の開示】
【発明が解決しようとする課題】
【０００５】
ところで、このようなスイッチ装置６においては、フロアー１における照明エリアａ1、ａ2、ｂ1、ｂ2、ｃ1、ｃ2の配置と無関係にスイッチ７が配置されているために、直感的に照明器具を点灯したい照明エリアのスイッチ７が判別できないという問題点があった。
また、あるスイッチ７を押した際に、照明器具が点灯される照明エリアの広さ程度も全く判らないという問題点もあった。
【０００６】
そこで、このような問題点を解決しうる従来の他のスイッチ装置として、液晶パネルに天井および設置されている照明を模式的に描くとともに、タッチパネル方式のスイッチ機能を持たせたものが実用化されている。
【０００７】
しかしながら、上記液晶パネルを用いたスイッチ装置にあっては、設置コストが高価になるとともに、フロアーのレイアウトや照明エリアを変更した際に、容易に対応することが難しいという問題点があった。
【０００８】
本発明は、かかる事情に鑑みてなされたもので、直感的にフロアーにおける所望の照明エリアおよびその広さを判断することができるとともに、当該照明エリアの広さ等の変更にも容易に対応することができるスイッチ装置を提供することを課題とするものである。
【課題を解決するための手段】
【０００９】
上記課題を解決するために、請求項１に記載の発明は、天井に複数の照明器具が設けられ、上記照明器具によって個別的に点灯・消灯される複数の面積が異なる照明エリアに分割されたフロアーに対応して設置され、各々の上記照明エリアの点灯・消灯を操作するための照明用スイッチ装置であって、複数のスイッチが配列されたスイッチ盤と、このスイッチ盤の表面に取り付けられるとともに、上記スイッチに対応する箇所に開口部が形成されたカバープレートと、このカバープレートの上記開口部に、互いの取付位置が変更可能となるように着脱自在に取り付けられた複数のスイッチカバーとを備え、上記スイッチ盤は、各々の上記照明エリアが上記フロアーのＸ−Ｙ方向に１以上の単位照明エリアに分割されるとともに、上記表面のＸ−Ｙ方向に上記単位照明エリアの数に対応する数の上記スイッチが配列され、各々の上記単位照明エリアの上記照明器具を、その上記フロアーのＸ−Ｙ方向の位置に対応する位置に配置された各々の上記スイッチによって点灯・消灯させるように配線され、各々の上記スイッチカバーは、各々の上記照明エリアの面積の広狭に対応する面積に形成されて当該照明エリアの上記フロアーにおける上記Ｘ−Ｙ方向の位置に対応する位置に配置され、当該照明エリアを構成する１以上の上記単位照明エリアの上記スイッチを同時にＯＮ−ＯＦＦ操作可能となるように取り付けられているとともに、上記カバープレートの表面には、当該カバープレートの開口部と連通する第２の開口部が形成されたサインパネルが設けられ、このサインパネルの表面に、上記フロアーに設けられた建築部材をその上記Ｘ−Ｙ方向の位置に対応する位置に模式的に表示するサインパーツが取り付けられていることを特徴とするものである。
【発明の効果】
【００１２】
請求項１に記載のスイッチ装置においては、スイッチ盤のスイッチを操作するスイッチカバーが、フロアーにおける照明エリアのＸ−Ｙ方向の位置に対応する位置に、かつ上記照明エリアの面積の広狭に対応した面積で配置されているために、直感的に上記フロアーにおける所望の照明エリアおよびその広さを判断することができる。
【００１３】
しかも、各々の照明エリアを上記フロアーのＸ−Ｙ方向に１以上の単位照明エリアに分割して、スイッチ盤の表面のＸ−Ｙ方向に上記単位照明エリアの数に対応する数のスイッチを配列するとともに、各々の単位照明エリアの照明器具を、そのフロアーのＸ−Ｙ方向の位置に対応する位置に配置された各々の上記スイッチによって点灯・消灯させるように配線しているために、フロアー内におけるレイアウトの変更等に伴って照明エリアの広さを変更した場合においても、スイッチカバーをカバープレートから取り外して、変更された照明エリアの面積に対応する面積のものと取り替えるのみで、容易に対応することができる。
【００１４】
また、カバープレートの表面にサインパネルを設け、このサインパネルの表面に、上記フロアーに設けられた建築部材をその上記Ｘ−Ｙ方向の位置に対応する位置に模式的に表示するサインパーツを取り付けているために、各々の照明エリアの位置と対応する位置に配置されたスイッチカバーとの協働により、一層直感的に、操作するスイッチカバーと、それによって点灯・消灯される照明エリアの位置および広さを認識することができる。
【発明を実施するための最良の形態】
【００１６】
図１〜図５は、本発明に係る照明用スイッチ装置の一実施形態を示すもので、この照明用スイッチ装置（以下、スイッチ装置と略す。）１０は、図４に示すような天井に複数の照明器具が設けられ、窓１２、壁１３によって仕切られた事務所フロアー１１の入口近傍等に設置され、上記照明器具の点灯・消灯を操作するためのものである。
【００１７】
そして、このフロアー１１においては、机１４やテーブル１５等の配置や、利用者のグループ分け等に基づいて、上記照明器具によって個別的に点灯・消灯される照明エリアが、フロアー１１のＸ方向に３つに分割されるとともに、Ｙ方向に２分割されることにより、合計６つの照明エリアＡ1〜Ｆ1に分割されている。ここで、３つの照明エリアＢ1、Ｄ1、Ｆ1の面積は、他の３つの照明エリアＡ1、Ｃ1、Ｅ1の面積の約２倍になっている。
【００１８】
このスイッチ装置１０は、図１〜図３に示すように、複数（本実施形態においては９つ）のスイッチ２０が配列されたスイッチ盤２１と、このスイッチ盤２１の表面に取り付けられるとともに、スイッチに対応する箇所に開口部２２が形成されたカバープレート２３と、このカバープレートの表面に取り付けられるとともに、カバープレート２３の開口部２２と連通する開口部（第２の開口部）２４が形成されたサインパネル２５と、このサインパネル２に取り付けられるスイッチカバー２６とから概略構成されたものである。なお、スイッチカバー２６ａ、２６ｂは、照明エリアＡ1〜Ｆ1の数と等しい数（本実施形態においては６つ）設けられている。
【００１９】
上記スイッチ盤２１は、枠体２７内に、縦方向に３つのスイッチ２０が設けられた汎用のスイッチユニット２８が、横に３列設けられたもので、図示されない柱の表面に固定されたり、あるいは壁内に表面を露出させて埋め込まれたりすることにより、表面を鉛直方向に沿わせてフロアー１１の出入口近傍に取り付けられている。
【００２０】
また、カバープレート２３は、スイッチ盤２１の表面を覆う面積に形成された方形板状の部材で、接着、ビス留めまたは嵌め込み等によってスイッチ盤２１の表面に固定されている。さらに、サインパネル２５は、カバープレート２３と同形に形成された方形板状部材で、その開口部２４もカバープレート２３の開口部２２と同形に形成されている。そして、このサインパネル２５においては、開口部２４の外周部に、Ｘ方向およびＹ方向に向けて溝部２９が形成されている。また、開口部２４間の交差部には、それぞれ凹部３０が形成されている。
【００２１】
そして、このサインパネル２５には、フロアー１１に設けられた建築部材である窓１２、壁１３を模式的に表示する窓のサインパーツ３１および壁のパーツ３２が、当該サインパネル２５の上記Ｘ−Ｙ方向の位置に対応する位置に形成されている溝部２９に取り付けられている。また、フロアー１１の内部であって、照明エリア間に柱がある場合には、上記凹部３０に柱のサインパーツ３３を取り付けることができる。さらに、スイッチ装置１０の取付位置を示す目印等のサインパーツも取り付けることができる。
【００２２】
ここで、これらサインパーツ３１、３２、３３は、可撓性を有する合成樹脂によって成形されたものであり、図３に示すように、その基端部には、溝部２９または凹部３０に弾性的に嵌合する凸部３４が形成されている。これにより、上記サインパーツ３１、３２、３３は、いずれも溝部２９または凹部３０に着脱自在に取り付けられるようになっている。
【００２３】
また、３つのスイッチカバー２６ｂは、各々照明エリアＢ1、Ｄ1、Ｆ1に位置する照明器具の点灯・消灯を操作するためのものであり、３つのスイッチカバー２６ａは、他の照明エリアＡ1、Ｃ1、Ｅ1に位置する照明器具の点灯・消灯を操作するためのものである。このため、スイッチカバー２６ｂの面積は、上記照明エリアの面積の広さに対応させて、スイッチカバー２６ａの面積の約２倍に形成されている。
そして、これらスイッチカバー２６ａ、２６ｂは、サインパネル２５におけるＸ−Ｙ方向の位置が、各々フロアー１１における照明エリアＡ1〜Ｆ1のＸ−Ｙ方向の位置に対応するよう配置されている。
【００２４】
ここで、スイッチカバー２６ａ、２６ｂの構成について詳細に説明すると、図２に示すように、各々のスイッチカバー２６ａ、２６ｂは、方形の前面板３５ａの対向辺に９０度に屈曲形成された脚部３５ｂを有する側面視コ字状の取付枠３５と、この取付枠３５内に脚部３５ｂに沿って前面板３５ａに対して進退自在に設けられた平板状の押し釦３６と、この押し釦３６に一端部が固定され、他端部がスイッチ盤２１の表面に当接するスプリング３７とから構成されたものである。
【００２５】
そして、取付枠３５の前面板３５ａには、押し釦３６の操作用開口部３８が穿設されている。また、取付枠３５の脚部３６ｂの先端には、開口部２２、２４に挿入された際に弾性変形してカバープレート２３の開口部２２の縁部に係合する係合突起３９が一体に形成されている。さらに、押し釦３６のスイッチ２０との対向部には、スイッチ操作用突部４０が一体に形成されている。
【００２６】
そして、３つのスイッチカバー２６ａは、取付枠３６の脚部３６ｂが各々上段の３つの開口部２２、２４内に挿入され、先端の係合突起３９がカバープレート２３の開口部２２の縁部に係合することにより着脱自在に取り付けられている。また、３つのスイッチカバー２６ｂは、取付枠３６の一方の脚部３６ｂが各々中段の開口部２２、２４内に挿入されるとともに、他方の脚部３６ｂが各々下段の開口部２２、２４内に挿入され、先端の係合突起３９がカバープレート２３の開口部２２の縁部に係合することにより着脱自在に取り付けられている。
【００２７】
これにより、スイッチカバー２６ａの押し釦３６を、スプリング３７の圧縮力に抗して押し込むと、操作用突部４０がスイッチ２０を作動させ、当該押し釦３６から手を離すと、スプリング３７の付勢力によって押し釦３６が元位置に復帰するようになっている。
他方、スイッチカバー２６ｂの押し釦３６を、同様にスプリング３７の圧縮力に抗して押し込むと、操作用突部４０が中段のスイッチ２０および下段のスイッチ２０を同時に作動させ、当該押し釦３６から手を離すと、スプリング３７の付勢力によって押し釦３６が元位置に復帰するようになっている。
【００２８】
ここで、フロアー１１の照明エリアＡ1〜Ｆ1おける照明機器と、スイッチ２０との電気的接続関係について説明すると、面積の狭い照明エリアＡ1、Ｃ1、Ｅ1の照明機器は、そのまま単位照明エリアに設定されており、フロアー１１におけるＸ−Ｙ方向とスイッチ盤２１におけるＸ−Ｙ方向とが一致するように、各々スイッチ盤２１の上段のスイッチ２０に配線されている。
【００２９】
これに対して、面積の広い照明エリアＢ1、Ｄ1、Ｆ1の照明機器は、Ｙ方向に２分割されて２つの単位照明エリアに設定されている。そして、同様にフロアー１１におけるＸ−Ｙ方向とスイッチ盤２１におけるＸ−Ｙ方向とが一致するように、照明エリアＢ1、Ｄ1、Ｆ1における上側の単位照明エリアの照明機器は、各々スイッチ盤２１の中段のスイッチ２０に配線され、下側の単位照明エリアの照明機器は、各々スイッチ盤２１の下段のスイッチ２０に配線されている。
【００３０】
この結果、スイッチカバー２６ａの押し釦３６を押すと、これとＸ−Ｙ方向に対応する位置にあるフロアー１１の照明エリアＡ1、Ｃ1またはＥ1の照明器具が点灯・消灯し、スイッチカバー２６ｂの押し釦３６を押すと、これとＸ−Ｙ方向に対応する位置にあるフロアー１１の照明エリアＢ1、Ｄ1またはＦ1の照明器具が点灯・消灯するようになっている。
【００３１】
このように、上記構成からなるスイッチ装置１０によれば、スイッチ盤２１のスイッチ２０を操作するスイッチカバー２６が、フロアー１１における照明エリアＡ1〜Ｆ1のＸ−Ｙ方向の位置に対応する位置に、かつ照明エリアＡ1〜Ｆ1の面積の広狭に対応した面積で配置されているために、直感的にフロアー１１における点灯または消灯したい照明エリアＡ1〜Ｆ1およびその範囲を判断することができる。
【００３２】
しかも、このスイッチ装置においては、各々の照明エリアＡ1〜Ｆ1を、フロアー１１のＸ−Ｙ方向に１以上の単位照明エリアに分割して、スイッチ盤２１の表面のＸ−Ｙ方向に上記単位照明エリアの数に対応する数のスイッチ２０を配列するとともに、各々の単位照明エリアの照明器具を、そのフロアー１１のＸ−Ｙ方向の位置に対応する位置に配置された各々のスイッチ２０によって点灯・消灯させるように配線している。
【００３３】
このため、フロアー１１内におけるレイアウトを図４に示す配置から図５に示す配置に変更し、これに伴って、照明エリアＡ1〜Ｆ1の広さを照明エリアＡ２〜Ｆ２に変更した場合においても、一旦スイッチカバー２６ａ、２６ｂを取り外して、面積の広いスイッチカバー２６ｂを上段と中段の開口部２２、２４に取り付け直し、面積の小さいスイッチカバー２６ａを下段の開口部２２、２４に取り付け直すことにより、極めて容易に対応することができる。
【００３４】
また、カバープレート２３の表面にサインパネル２５を設け、このサインパネル２５の表面に、フロアー１１に設けられた窓１２や壁１３等の建築部材や、スイッチ装置１０の取付位置を示す目印等を、そのＸ−Ｙ方向の位置に対応する位置に模式的に表示するサインパーツ３１〜３３を取り付けることができるために、スイッチカバー２６ａ、２６ｂが各々の照明エリアＡ1〜Ｆ1、Ａ２〜Ｆ２のＸ−Ｙ方向の位置と対応する位置に配置されていることとの協働により、一層直感的に、操作するスイッチカバー２６ａ、２６ｂと、それによって点灯・消灯される照明エリアＡ1〜Ｆ1、Ａ２〜Ｆ２の位置および広さを認識することができる。
【００３５】
さらに、サインパーツ３１〜３３を、サインパネル２５に形成した複数の溝部２９または凹部３０に着脱自在に設けているために、適宜箇所に選択的にサインパーツ３１〜３３を取り付けることができる。このため、建物内の窓、壁、柱等の建築部材の配置が異なる他のフロアーに対するスイッチ装置としても、これらサインパネル２５やサインパーツ３１〜３３等を汎用品として用いることができる。
【００３６】
なお、上記実施の形態においては、カバープレート２３の表面に、別体のサインパネル２５を設けた場合についてのみ説明したが、これに限るものではなく、これらを一体化して上記カバープレート２３の表面に直接上記溝部２９や凹部３０を形成することにより、部品点数を低減することも可能である。
【図面の簡単な説明】
【００３７】
【図１】本発明に係るスイッチ装置の一実施形態を示す分解斜視図である。
【図２】図１の縦断面図であって、（ａ）はスイッチカバーを取り付ける前の状態を示す図、（ｂ）は、スイッチカバーを取り付けた状態を示す図である。
【図３】図１のサインパネルの溝部近傍を示す断面図である。
【図４】フロアーおよび照明エリアの配置とスイッチ装置のスイッチカバーの配置との関係を示す平面図である。
【図５】図４のフロアーの照明エリアを変更した後の照明エリアの配置とスイッチ装置のスイッチカバーの配置との関係を示す平面図である。
【図６】一般的な事務所フロアーの配置と照明エリアの関係を示す平面図である。
【図７】従来の図６のフロアー用のスイッチ装置を示す正面図である。
【符号の説明】
【００３８】
１０  スイッチ装置
１１  フロアー
２０  スイッチ
２１  スイッチ盤
２２  開口部
２３  カバープレート
２４  開口部（第２の開口部）
２５  サインパネル
２６ａ、２６ｂ  スイッチカバー
２９  溝部
３０  凹部
３１、３２、３３  サインパーツ
Ａ1〜Ｆ1  照明エリア
【図１】
0005038108.tif 000002
【図２】
0005038108.tif 000003
【図３】
0005038108.tif 000004
【図４】
0005038108.tif 000005
【図５】
0005038108.tif 000006
【図６】
0005038108.tif 000007
【図７】
0005038108.tif 000008